(57)【要約】【課題】  制御基板の係止を確実に行なうこと。【解決手段】  光ディスクの半径方向に沿って往復移動可能な合成樹脂製スライドベース１にフック９が一体突設され、制御基板７の一端の凹部１５をフック９に係合させると共に、該制御基板７の他端をスライドベース１にビス１０で止着しており、スライドベース１に設けたレーザダイオードからレーザ光を光ディスクに投射し、その反射光を読取用受光素子で受光することにより光ディスクに記録されている情報を読み取るようにした光ピックアップにおいて、フック９の通過を許容する大きさの切欠き部２０が凹部１５に連通して制御基板７の一端に形成されており、フック９に切欠き部２０を合わせて制御基板７をスライドベース１の載置面１ｂに載置し、その載置面１ｂに沿って制御基板７を矢印Ａ方向に移動させて凹部１５をフック９に係合させる。【選択図】        図１
2011086344.tif 000002
【特許請求の範囲】
【請求項１】
光ディスクの半径方向に沿って往復移動可能な合成樹脂製スライドベースにレーザダイ
オード及び読取用受光素子が配置され、そのレーザダイオード及び読取用受光素子にフレ
キシブルフラットケーブルを介して接続した制御基板の一端に形成した凹部をスライドベ
ースに一体突設したフックに係合させると共に、該制御基板の他端をスライドベースにビ
スで止着することにより、その制御基板がスライドベースの載置面に係止されており、レ
ーザダイオードからレーザ光を光ディスクに投射し、その反射光を読取用受光素子で受光
することにより光ディスクに記録されている情報を読み取るようにした光ピックアップに
おいて、前記フックの通過を許容する大きさの切欠き部が前記凹部に連通して制御基板の
一端に形成されており、フックに切欠き部を合わせて制御基板をスライドベースの載置面
に載置し、その載置面に沿って制御基板を移動させることにより、凹部をフックに係合さ
せるようにしたことを特徴とする光ピックアップ。
【請求項２】
前記スライドベースに一体突設した位置決めピンに係合可能な細溝が制御基板に該制御
基板の移動方向に沿って形成されており、フックに切欠き部を合わせ制御基板をスライド
ベースの載置面に載置して細溝を位置決めピンに係合させ、該位置決めピンを基準にして
制御基板を移動させるようにしたことを特徴とする請求項１に記載の光ピックアップ。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置の光ピックアップに関し、特に、制御基板の係止を確実に行なうことができる
ようにしたものである。
【背景技術】
【０００２】
光ピックアップの一例として図３の概略図に示すものがあり、これはＢｌｕ−ｒａｙ
Ｄｉｓｃ式のレコーダ（またはプレーヤ）であって、合成樹脂製スライドベース１に突設
した係合部１ａをガイドレール２にスライド可能に係合させることにより、該スライドベ
ース１が光ディスク（図示せず）の半径方向に沿って往復移動可能に形成され、そのスラ
イドベース１にＢＤ光学系３とＤＶＤ−ＣＤ光学系４とが設けられており、そのＢＤ光学
系３は、ＢＤ用レーザダイオードＢＤ・ＬＤ、回折格子ＧＲＴ、偏光ビームスプリッター
ＰＢＳ、球面収差補正機構５により往復移動されるコリメータレンズＣＬ及び読取用受光
素子ＰＤ１などを有し、ＤＶＤ−ＣＤ光学系４は、ＤＶＤ−ＣＤ用レーザダイオードＤＶ
Ｄ−ＣＤ・ＬＤ、ハーフミラーＨＭ及び読取用受光素子ＰＤ２などを有し、アクチュエー
タ６により駆動される対物レンズＯＬが設けられ、プリント配線基板からなる制御基板７
がスライドベース１の載置面１ｂに載置され、該制御基板７にフレキシブルフラットケー
ブル（図示せず）を介して各レーザダイオードＤＶＤ−ＣＤ・ＬＤ，ＢＤ・ＬＤ及び各読
取用受光素子ＰＤ１，ＰＤ２が接続されている。
【０００３】
ＢＤ光学系３の読取手順を説明すると、ＢＤ用レーザダイオードＢＤ・ＬＤからレーザ
光ａ１を回折格子ＧＲＴ、偏光ビームスプリッターＰＢＳ、コリメータレンズＣＬ及び対
物レンズＯＬを通って高速回転しているＢＤ型光ディスクに投射し、その反射光ｂ１を読
取用受光素子ＰＤ１で受光し、ＢＤ型光ディスクに記録されている情報を読みとる。
【０００４】
ＤＶＤ−ＣＤ光学系４の読取手順を説明すると、ＤＶＤ−ＣＤ用レーザダイオードＤＶ
Ｄ−ＣＤ・ＬＤからレーザ光ａ２をハーフミラーＨＭ及び対物レンズＯＬを通って高速回
転しているＤＶＤ−ＣＤ型光ディスクに投射し、その反射光ｂ２を読取用受光素子ＰＤ２
で受光し、ＤＶＤ−ＣＤ型光ディスクに記録されている情報を読みとる。
【０００５】
従来、光ピックアップとして図４の分解斜視図に示すものがあり、スライドベース１の
一端に略Ｌ字状フック９が一体突設されると共に、その他端にビス１０をねじ込むための
ねじ孔１１が形成され、スライドベース１の中央部に一対の位置決めピン１２，１３が一
体突設されている。
【０００６】
前記フック９に対向して制御基板７の一端に凹部１５が形成されると共に、ねじ孔１１
に対向して制御基板７の他端にビス挿通孔１６が貫設され、各位置決めピン１２，１３に
対向して制御基板７の中央部に位置決め孔１７，１８が貫設されている。
【０００７】
前記フック９は、スライドベース１から起立するフック基部９ａと、該フック基部９ａ
の端縁からスライドベース１の中央に向かって直角に折れ曲がるフック先端部９ｂとから
なり、該フック先端部９ｂと載置面１ｂとの間の間隔ｔ１が制御基板７の厚さｔ２よりも
わずかに大きく設定され、フック９の横幅ｄ１が凹部１５の横幅ｄ２よりもわずかに小さ
く設定されると共に、該フック９の縦幅ｈ１が凹部１５の縦幅ｈ２よりも大きく設定され
ている。
【０００８】
制御基板７の取付手順を説明すると、図５（ａ）及び（ｂ）に示すように、制御基板７
を斜めに把持してその一端をフック９側に押し込むことにより、凹部１５をフック９に係
合させ、該制御基板７の他端を下げ、図６（ａ）及び（ｂ）に示すように、各位置決め孔
１７，１８を各位置決めピン１２，１３に嵌合させ、ビス１０がビス挿通孔１６を通って
ねじ孔１１にねじ込まれることにより、そのビス１０とフック９とで制御基板７の両端を
スライドベース１に係止する。
【先行技術文献】
【特許文献】
【０００９】
【特許文献１】特開平９−３２００８７号公報
【発明の概要】
【発明が解決しようとする課題】
【００１０】
上記従来の構成では、図５（ｂ）の拡大図に示すように、制御基板７を斜めに把持して
その一端をフック９側に押し込んだときに、該フック９に制御基板７の凹部１５が円滑に
嵌合されず、該制御基板７が位置決めピン１２に当たるなどして、その制御基板７により
フック先端部９ｂが押し上げられ、その押上力Ｆがフック基部９ａの根元に集中的にかか
って、そのフック基部９ａの根元が破断されるおそれがあり、これでは、制御基板７の一
端の係止が不充分になり、該制御基板７が振動して不快な騒音を発生させたり、その制御
基板７から延びるフレキシブルフラットケーブルの半田付け部分が損傷されるおそれもあ
る。
【００１１】
本発明は、上記従来の欠点に鑑み、制御基板の係止を確実におこなうことができるよう
にした光ピックアップを提供することを目的としている。
【課題を解決するための手段】
【００１２】
上記目的を達成するため、請求項１に記載の発明は、光ディスクの半径方向に沿って往
復移動可能な合成樹脂製スライドベースにレーザダイオード及び読取用受光素子が配置さ
れ、そのレーザダイオード及び読取用受光素子にフレキシブルフラットケーブルを介して
接続した制御基板の一端に形成した凹部をスライドベースに一体突設したフックに係合さ
せると共に、該制御基板の他端をスライドベースにビスで止着することにより、その制御
基板がスライドベースの載置面に係止されており、レーザダイオードからレーザ光を光デ
ィスクに投射し、その反射光を読取用受光素子で受光することにより光ディスクに記録さ
れている情報を読み取るようにした光ピックアップにおいて、前記フックの通過を許容す
る大きさの切欠き部が前記凹部に連通して制御基板の一端に形成されており、フックに切
欠き部を合わせて制御基板をスライドベースの載置面に載置し、その載置面に沿って制御
基板を移動させることにより、凹部をフックに係合させるようにしたことを特徴としてい
る。
【００１３】
請求項２に記載の発明は、請求項１に記載の発明において、前記スライドベースに一体
突設した位置決めピンに係合可能な細溝が制御基板に該制御基板の移動方向に沿って形成
されており、フックに切欠き部を合わせ制御基板をスライドベースの載置面に載置して細
溝を位置決めピンに係合させ、該位置決めピンを基準にして制御基板を移動させるように
したことを特徴としている。
【発明の効果】
【００１４】
請求項１に記載の発明によれば、スライドベースのフックに制御基板の切欠き部を合わ
せて該制御基板をスライドベースの載置面に載置し、その載置面に沿って制御基板を移動
させることにより凹部をフックに係合させるようになっており、その係合の際に制御基板
がフックに接触されないから、該フックが従来のように破断されることがなく、そのフッ
クとビスとで制御基板の両端を確実に係止し、これによって、制御基板が振動して不快な
騒音を発生させたり、その制御基板から延びるフレキシブルフラットケーブルの半田付け
部分が損傷される事故を阻止することができる。
【００１５】
請求項２に記載の発明によれば、位置決めピンを基準にして制御基板を移動させること
により、その制御基板の凹部をスライドベーのフックに簡単確実に係合させることができ
る。
【図面の簡単な説明】
【００１６】
【図１】（ａ）は本発明の実施の一形態である光ピックアップを示す分解斜視図、（ｂ）は同要部の平面図である。
【図２】（ａ）及び（ｂ）は同制御基板の取付手順を説明する概略平面図である。
【図３】光ピックアップの一例を示す概略図である。
【図４】従来例を示す分解斜視図である。
【図５】（ａ）は同制御基板の取付手順の前段を説明する概略平面図、（ｂ）は同概略後面図である。
【図６】（ａ）は同制御基板の取付手順の後段を説明する概略平面図、（ｂ）は同概略後面図である。
【発明を実施するための形態】
【００１７】
図１及び図２は本発明の実施の一形態である光ピックアップを示すものであり、これは
Ｂｌｕ−ｒａｙ  Ｄｉｓｃ式のレコーダ（またはプレーヤ）用であって、フック９の通過
を許容する切欠き部２０が凹部１５に連通して制御基板７の一端に形成され、各位置決め
ピン１２，１３に対向して細溝２１，２２が制御基板７に形成されている。上記以外の構
成は図３及び図４に示す構成とほぼ同じであるから、同一部分に同一符号を付してその説
明を省略する。
【００１８】
前記切欠き部２０の横幅ｄ３がフック９の横幅ｄ１よりも若干大きく設定され、該切欠
き部２０の縦幅ｈ３が凹部１５の縦幅ｈ２よりも大きく設定され、その切欠き部２０の奥
端から凹部１５の奥端までの深さｅ２がフック先端部９ｂの突出長さｅ１と同一または若
干大きく設定されている。
【００１９】
前記細溝２１，２２は制御基板７の移動方向Ａに沿って形成され、その一方の細溝２１
が制御基板７の前縁に開口されると共に、その他方の細溝２２が制御基板７の中央に長孔
状に形成されている。
【００２０】
制御基板７の取付手順を説明すると、図２（ａ）に示すように、フック９に切欠き部２
０を合わせ制御基板７をスライドベース１の載置面１ｂに載置することにより、一方の細
溝２１を一方の位置決めピン１２に対向させると共に、他方の細溝２２を他方の位置決め
ピン１３に嵌合させ、その両位置決めピン１２，１３を基準にして制御基板７を矢印Ａ方
向に移動させることにより、図２（ｂ）に示すように、凹部１５をフック９に係合させ、
ビス１０がビス挿通孔１６を通ってねじ孔１１にねじ込まれることにより、そのビス１０
とフック９とで制御基板７の両端をスライドベース１に係止する。
【００２１】
上記構成によれば、スライドベース１のフック９に制御基板７の切欠き部２０を合わせ
て該制御基板７をスライドベース１の載置面１ｂに載置し、その載置面１ｂに沿って制御
基板７を矢印Ａ方向に移動させることにより凹部１５をフック９に係合させるようになっ
ており、その係合の際に制御基板７がフック９に接触されないから、該フック９が従来の
ように破断されることがなく、そのフック９とビス１０とで制御基板７の両端を確実に係
止し、これによって、制御基板７が振動して不快な騒音を発生させたり、その制御基板７
から延びるフレキシブルフラットケーブルの半田付け部分が損傷される事故を確実に阻止
することができる。
【００２２】
また、各位置決めピン１２，１３を基準にして制御基板７を移動させることにより、そ
の制御基板７の凹部１５をスライドベース１のフック９に簡単確実に係合させることがで
きる。
【符号の説明】
【００２３】
１                  スライドベース
１ｂ                スライドベースの載置面
７                  制御基板
１０                ビス
１２，１３          位置決めピン
１５                凹部
２０                切欠き部
２１，２２          細溝２
ＢＤ・ＬＤ          ＢＤ用レーザダイオード
ＤＶＤ−ＣＤ・ＬＤ  ＤＶＤ−ＣＤ用レーザダイオード
ＰＤ１，ＰＤ２      読取用受光素子
ｄ１                フックの横幅
ｄ３                切欠き部の横幅
ｈ２                凹部の縦幅
ｈ３                切欠き部の縦幅
ｅ１                フック先端部の突出長さ
ｅ２                切欠き部の奥端から凹部の奥端までの深さ
【図１】
2011086344.tif 000003
【図２】
2011086344.tif 000004
【図３】
2011086344.tif 000005
【図４】
2011086344.tif 000006
【図５】
2011086344.tif 000007
【図６】
2011086344.tif 000008